(57)【要約】【課題】テンプレートを選択するユーザーの利便性を向上させる。【解決手段】表示装置は、処理対象とする画像を選択する画像選択部と、画像が配置される配置領域を含んだテンプレートを複数記憶する記憶部と、前記選択された画像に基づいて、前記複数のテンプレートから第１のテンプレートおよび第２のテンプレートを選択するテンプレート選択部と、前記第１のテンプレートの配置領域に前記選択された画像を配置し、かつ、前記第２のテンプレートの配置領域に前記選択された画像を配置する配置部と、前記画像の配置後の前記第１のテンプレートおよび前記画像の配置後の前記第２のテンプレートを表示部に表示させる表示制御部と、を備える。【選択図】図２
2019074872.tif 000002
【特許請求の範囲】
【請求項１】
処理対象とする画像を選択する画像選択部と、
画像が配置される配置領域を含んだテンプレートを複数記憶する記憶部と、
前記選択された画像に基づいて、前記複数のテンプレートから第１のテンプレートおよび第２のテンプレートを選択するテンプレート選択部と、
前記第１のテンプレートの配置領域に前記選択された画像を配置し、かつ、前記第２のテンプレートの配置領域に前記選択された画像を配置する配置部と、
前記画像の配置後の前記第１のテンプレートおよび前記画像の配置後の前記第２のテンプレートを表示部に表示させる表示制御部と、を備えることを特徴とする表示装置。
【請求項２】
前記テンプレート選択部は、前記選択された画像の撮影日時および撮影場所の少なくとも一方を含む画像の特徴情報に基づいて、前記複数のテンプレートから第１のテンプレートおよび第２のテンプレートを選択することを特徴とする請求項１に記載の表示装置。
【請求項３】
前記テンプレート選択部は、前記選択された画像の中から画像毎の特徴情報に基づいて１つ以上の主画像を特定し、当該主画像に基づいて前記複数のテンプレートから第１のテンプレートおよび第２のテンプレートを選択することを特徴とする請求項１または請求項２に記載の表示装置。
【請求項４】
前記配置部は、前記選択された各テンプレートについて複数のページを設定し、前記選択された画像を前記選択されたテンプレート毎に前記複数のページに振り分けて配置し、
前記表示制御部は、前記画像の配置後の複数ページのそれぞれを一部重畳させた状態で前記選択された各テンプレートを前記表示部に表示させることを特徴とする請求項１〜請求項３のいずれかに記載の表示装置。
【請求項５】
前記表示制御部は、前記表示部に表示させた前記画像の配置後のテンプレートの中からユーザーに選択されたテンプレートを、他のテンプレートより大きいサイズで前記表示部に表示させることを特徴とする請求項１〜請求項４のいずれかに記載の表示装置。
【請求項６】
前記表示部に表示された前記画像の配置後のテンプレートの中からユーザーに選択されたテンプレートを印刷部へ送信して当該印刷部に印刷させる印刷制御部を更に備えることを特徴とする請求項１〜請求項５のいずれかに記載の表示装置。
【請求項７】
処理対象とする画像を選択する画像選択工程と、
画像が配置される配置領域を含んだテンプレートを複数記憶する記憶部から、前記選択された画像に基づいて第１のテンプレートおよび第２のテンプレートを選択するテンプレート選択工程と、
前記第１のテンプレートの配置領域に前記選択された画像を配置し、かつ、前記第２のテンプレートの配置領域に前記選択された画像を配置する配置工程と、
前記画像の配置後の前記第１のテンプレートおよび前記画像の配置後の前記第２のテンプレートを表示部に表示させる表示制御工程と、を備えることを特徴とする表示方法。
【請求項８】
処理対象とする画像を選択する画像選択機能と、
画像が配置される配置領域を含んだテンプレートを複数記憶する記憶部から、前記選択された画像に基づいて第１のテンプレートおよび第２のテンプレートを選択するテンプレート選択機能と、
前記第１のテンプレートの配置領域に前記選択された画像を配置し、かつ、前記第２のテンプレートの配置領域に前記選択された画像を配置する配置機能と、
前記画像の配置後の前記第１のテンプレートおよび前記画像の配置後の前記第２のテンプレートを表示部に表示させる表示制御機能と、をコンピューターに実行させることを特徴とする表示プログラム。
【発明の詳細な説明】
【技術分野】
【０００１】
本発明は、テンプレートを表示する装置、方法およびプログラムに関する。
【背景技術】
【０００２】
縦長の画像配置領域と横長の画像配置領域の少なくともいずれか一方を含む複数の画像配置用テンプレートを記憶する記憶部と、画像配置用テンプレート内に配置する画像の枚数（配置枚数）を設定する配置枚数設定部と、あらかじめ撮影された撮影画像の中から配置対象画像を選択する画像選択部と、配置対象画像の向きが縦長であるか横長であるかを判定する判定部と、設定した前記配置枚数および前記判定部による判定結果に基づいて、記憶部に記憶された複数の画像配置用テンプレートの中から画像配置用テンプレートを選択するテンプレート選択部と、テンプレート選択部で選択した対象テンプレート内の画像配置領域に配置対象画像を配置して表示用画像を作成する作成部と、表示用画像を表示装置に表示する表示制御部とを備える画像表示装置が知られている（特許文献１）。 
【先行技術文献】
【特許文献】
【０００３】
【特許文献１】再表２００８／１１７８２７号
【発明の概要】
【発明が解決しようとする課題】
【０００４】
ユーザーは、選択した画像を配置した様々なテンプレートのプレビュー画像を確認して、当該選択した画像に合うテンプレートを選択したいときがある。このような場合、ユーザーは、テンプレートを１つずつ切り替える操作をして視認する作業が必要となり、選択した画像に合うテンプレートを選択するまでに要する手間が多かった。前記文献１は、アルバムの見開き２ページ分のレイアウト（ユーザーが選択した画像の一部を左ページのテンプレートに配置し、ユーザーが選択した残りの画像を右ページのテンプレートに配置した、全体で一つのプレビュー。文献１の図１２参照。）を表示するものであり、上述の課題を解決するものではない。
【０００５】
本発明は上述の課題に鑑みてなされたものであり、適切なテンプレートの容易な選択に貢献する表示装置、表示方法および表示プログラムを提供する。
【課題を解決するための手段】
【０００６】
本発明の態様の１つは、表示装置は、処理対象とする画像を選択する画像選択部と、画像が配置される配置領域を含んだテンプレートを複数記憶する記憶部と、前記選択された画像に基づいて、前記複数のテンプレートから第１のテンプレートおよび第２のテンプレートを選択するテンプレート選択部と、前記第１のテンプレートの配置領域に前記選択された画像を配置し、かつ、前記第２のテンプレートの配置領域に前記選択された画像を配置する配置部と、前記画像の配置後の前記第１のテンプレートおよび前記画像の配置後の前記第２のテンプレートを表示部に表示させる表示制御部と、を備える。
【０００７】
当該構成によれば、表示装置は、選択された画像に基づいて、画像を配置するためのテンプレートを記憶部から複数選択する。そして、選択した複数のテンプレート（第１のテンプレート、第２のテンプレート）のそれぞれに前記選択された画像を配置し、画像を配置後の複数のテンプレート（第１のテンプレート、第２のテンプレート）を表示部に表示させる。これにより、ユーザーは、選択した共通の画像が配置された異なる複数のテンプレートを表示部において見比べることができ、選択した画像を配置するものとして適切な（ユーザーが適切と思う）テンプレートを容易に選択することができる。
【０００８】
本発明の態様の１つは、前記テンプレート選択部は、前記選択された画像の撮影日時および撮影場所の少なくとも一方を含む画像の特徴情報に基づいて、前記複数のテンプレートから第１のテンプレートおよび第２のテンプレートを選択するとしてもよい。
当該構成によれば、表示装置は、選択された画像の撮影日時や撮影場所といった特徴情報に基づいて、選択された画像を配置するに相応しい複数のテンプレートを、記憶されている複数のテンプレートの中から自動的に選択することができる。
【０００９】
本発明の態様の１つは、前記テンプレート選択部は、前記選択された画像の中から画像毎の特徴情報に基づいて１つ以上の主画像を特定し、当該主画像に基づいて前記複数のテンプレートから第１のテンプレートおよび第２のテンプレートを選択するとしてもよい。
当該構成によれば、表示装置は、選択された画像毎の特徴情報にばらつきが有る場合にも、選択された画像の中から主画像を特定することにより、当該主画像を配置するに相応しい複数のテンプレートを、記憶されている複数のテンプレートの中から自動的に選択することができる。
【００１０】
本発明の態様の１つは、前記配置部は、前記選択された各テンプレートについて複数のページを設定し、前記選択された画像を前記選択されたテンプレート毎に前記複数のページに振り分けて配置し、前記表示制御部は、前記画像の配置後の複数ページのそれぞれを一部重畳させた状態で前記選択された各テンプレートを前記表示部に表示させるとしてもよい。
当該構成によれば、選択された画像の数が多すぎてテンプレート毎の配置領域に当該選択された画像の全てを配置できないときであっても、テンプレートを複数ページに増加させることで、画像配置後のテンプレートを、ユーザーに適切に提示することができる。
【００１１】
本発明の態様の１つは、前記表示制御部は、前記表示部に表示させた前記画像の配置後のテンプレートの中からユーザーに選択されたテンプレートを、他のテンプレートより大きいサイズで前記表示部に表示させるとしてもよい。
当該構成によれば、表示部に表示された画像配置後のテンプレートのうちユーザーが選択したテンプレートを、より見易い状態でユーザーに提示することができる。
【００１２】
なお、表示装置は、前記表示部に表示された前記画像の配置後のテンプレートの中からユーザーに選択されたテンプレートを印刷部へ送信して当該印刷部に印刷させる印刷制御部を更に備えるとしてもよい。
当該構成によれば、ユーザーは、選択した共通の画像が配置された異なる複数のテンプレートを表示部において見比べ、その中で気に入って選択したテンプレート（画像配置後のテンプレート）の印刷結果を容易に得ることができる。
【００１３】
本発明の技術的思想は、表示装置という物以外によっても実現される。例えば、表示装置の各部が実行する処理工程を備えた方法（表示方法）や、当該方法をコンピューターに実行させるプログラム（表示プログラム）も、発明として成立する。むろん、プログラムを記憶したコンピューター読み取り可能な記憶媒体も発明として成り立つ。
【図面の簡単な説明】
【００１４】
【図１】装置構成を簡易的に示す図。
【図２】制御部がプログラムＡに従って実行する処理を示すフローチャート。
【図３】画像選択画面の一例を示す図。
【図４】合成後テンプレート選択画面の一例を示す図。
【図５】編集画面の一例を示す図。
【図６】変形例１にかかる処理を示すフローチャート。
【図７】ステップＳ１２４，Ｓ１３４の処理を具体的に説明する図。
【図８】合成後テンプレート選択画面の他の例を示す図。
【発明を実施するための形態】
【００１５】
以下、各図を参照しながら本発明の実施形態を説明する。なお各図は、本実施形態を説明するための例示に過ぎない。
【００１６】
１．装置構成の概略説明：
図１は、本実施形態にかかる装置構成を簡易的に示している。表示装置１０は、例えば、制御部１１、表示部１７、操作受付部１８、記憶部１９、通信インターフェイス（ＩＦ）２０等を備える。表示装置１０は、例えば、パーソナルコンピューター（ＰＣ）や、ＰＣと同程度の処理能力を有する情報処理装置によって実現される。表示装置１０は、表示部１７による表示を制御することから、これを表示制御装置と呼んでもよい。また、表示装置１０は、印刷部３０による印刷を制御することから、これを印刷制御装置と呼んでもよい。また、表示装置１０は、テンプレートを表示するための画像処理を実行することから、これを画像処理装置と呼んでもよい。
【００１７】
制御部１１は、ＣＰＵ１１ａ、ＲＯＭ１１ｂ、ＲＡＭ１１ｃ等を有する１つ又は複数のＩＣや、その他のメモリー等を適宜含んで構成される。制御部１１では、ＣＰＵ１１ａが、ＲＯＭ１１ｂ等に保存されたプログラムに従った演算処理を、ＲＡＭ１１ｃ等をワークエリアとして用いて実行することにより、表示装置１０の挙動を制御する。制御部１１はプログラムＡを搭載しており、プログラムＡに従って、画像選択部１２、テンプレート（ＴＰ）選択部１３、配置部１４、表示制御部１５、印刷制御部１６等といった各機能を実現する。プログラムＡを、表示（制御）プログラム、印刷制御プログラム、画像処理プログラム、等と呼ぶことができる。制御部１１がプログラムＡ（プログラムＡの一部）に従った処理を実行することにより、本発明にかかる表示方法が実現されると言える。
【００１８】
通信ＩＦ２０は、所定の通信規格に準拠して制御部１１が表示装置１０の外との通信を実行するＩＦの総称である。記憶部１９は、例えば、ハードディスクドライブ（ＨＤＤ）やフラッシュメモリー等の記憶媒体によって構成されている。
【００１９】
表示部１７は、視覚的情報を表示するための手段であり、例えば、液晶ディスプレイ（ＬＣＤ）や、有機ＥＬディスプレイ等により構成される。表示部１７は、ディスプレイと、当該ディスプレイを駆動するための駆動回路とを含む構成であってもよい。操作受付部１８は、ユーザーによる操作を受け付けるための手段であり、例えば、物理的なボタンや、タッチパネルや、マウスや、キーボード等によって実現される。むろん、タッチパネルは、表示部１７の一機能として実現されるとしてもよい。また、表示部１７および操作受付部１８を含めて操作パネル等と呼ぶことができる。表示部１７や操作受付部１８は、表示装置１０の一部分であってもよいし、表示装置１０に外付けされた周辺機器であってもよい。
【００２０】
表示装置１０は、通信ＩＦ２０を介して印刷部３０と通信可能に接続している。印刷部３０は、表示装置１０（制御部１１）から送信された印刷データに基づいて印刷を実行可能な機構であり、これを印刷装置と呼ぶことができる。印刷部３０が採用し得る印刷方式は特に限定されず、インクジェット方式や電子写真方式等様々である。また、印刷部３０は、少なくとも印刷機能を有するものであり、印刷機能に加えてスキャナーやファクシミリ等の複数の機能を併せ持った複合機であってもよい。表示装置１０および印刷部３０を含む構成を、印刷システム１と呼ぶことができる。
【００２１】
表示装置１０と印刷部３０は、それぞれが独立した装置であってもよいが、実態としてそれら全体が１つの装置に含まれていてもよい。表示装置１０と印刷部３０が１つの装置に含まれている場合、表示装置１０と印刷部３０を含む構成（１つの装置）を、印刷装置１と呼ぶことができる。つまり、印刷装置１が、その機能の一つとして本発明にかかる表示装置として振る舞うとしてもよい。
【００２２】
２．テンプレート表示処理：
図２は、制御部１１がプログラムＡに従って実行する処理をフローチャートにより示している。
制御部１１（画像選択部１２）は、処理対象とする画像を選択する（画像選択工程、ステップＳ１００）。処理対象とする画像とは、後述するようにテンプレートに配置して表示したり、テンプレートに配置した状態で印刷したりする画像（画像データ）である。ここでは、画像選択部１２は、ユーザーの操作に応じて画像を選択する。
【００２３】
図３は、ユーザーによる画像の選択を受け付けるための画像選択画面４０の一例を示している。画像選択部１２は、処理対象とし得る画像を記憶した記憶元から、それら画像の縮小画像（サムネイル）４１を読み出し、縮小画像４１を複数並べた画像選択画面４０を表示部１７に表示させる。処理対象とし得る画像の記憶元は、表示装置１０に内蔵された記憶媒体（例えば記憶部１９）や、表示装置１０に対して外部から接続された記憶媒体等、様々である。ユーザーは、操作受付部１８を操作することにより、画像選択画面４０の中から任意に縮小画像４１を１つ以上選択することができる。画像選択部１２は、このようなユーザーの操作に従って画像を選択する（ユーザーによる画像の選択を受け入れる）。
【００２４】
画像選択部１２がステップＳ１００で選択した画像を“対象画像”と呼ぶ。図３の例を参照すると、ステップＳ１００では、画像選択画面４０においてユーザーにより４つの縮小画像４１（４１ａ，４１ｂ，４１ｃ，４１ｄ）が選択されたとする。言うまでもなく、縮小画像４１ａ，４１ｂ，４１ｃ，４１ｄそのものが対象画像ではなく、縮小画像４１ａ，４１ｂ，４１ｃ，４１ｄそれぞれが示す記憶元（例えば記憶部１９）に記憶されている各画像が対象画像であるが、ここでは図３を参照したときの判り易さを優先して、ステップＳ１００で選択された画像を、対象画像４１（４１ａ，４１ｂ，４１ｃ，４１ｄ）と表現する。ユーザーが、画像選択画面４０で１つ以上の画像（例えば、対象画像４１ａ，４１ｂ，４１ｃ，４１ｄ）を選択した状態で、画像選択画面４０に設けられた所定のボタン（テンプレート表示ボタン）４２を操作した場合に、制御部１１は、ステップＳ１００からステップＳ１１０へ処理を進める。
【００２５】
ステップＳ１１０では、制御部１１（ＴＰ選択部１３）は、対象画像に基づいて、記憶部１９に記憶されている複数のテンプレートの中から複数のテンプレートを選択する（テンプレート選択工程）。テンプレートは、写真等の画像を配置するための空欄（配置領域）等を有する予めデザインされた画像であり、フレーム等とも呼ばれる。各テンプレートには、例えば、季節、風景、行事等に関連した模様、イラスト、キャラクター、スタンプ、メッセージ等の様々なデザインが施されている。ステップＳ１１０では、ＴＰ選択部１３は、記憶されている複数のテンプレートの中から、複数つまり少なくとも２つ以上のテンプレートを選択する。そのため、ステップＳ１１０で選択したテンプレートの中のいずれか１つを第１のテンプレートと呼び、第１のテンプレート以外の当該ステップＳ１１０で選択したテンプレートの中のいずれか１つを第２のテンプレートと呼ぶことができる。第１のテンプレートおよび第２のテンプレートは、ステップＳ１１０で選択した複数のテンプレートを区別するための便宜上の表現に過ぎない。ステップＳ１１０で選択した複数のテンプレートの中に、第３、第４…のテンプレートが含まれていてもよい。
【００２６】
ＴＰ選択部１３によるテンプレートの選択方法を幾つか具体的に説明する。
前提として、ＴＰ選択部１３は、画像選択部１２がステップＳ１００で選択した対象画像の数に対応する配置領域を有するテンプレートを選択する。上述の例のようにステップＳ１００で４つの対象画像４１ａ，４１ｂ，４１ｃ，４１ｄが選択された場合には、ＴＰ選択部１３は、４つの配置領域を有するテンプレートを選択することになる。この場合、ＴＰ選択部１３は、対象画像の特徴情報に基づいてテンプレートを選択する。対象画像の特徴情報とは、例えば、対象画像の撮影日時や撮影場所である。対象画像に付随されている、いわゆるＥＸＩＦ（Exchangeable Image File Format）情報等には、デジタルスチルカメラによる撮影時の種々の情報が記述されており、その中には、撮影日時や、ＧＰＳ（Global Positioning System）による撮影場所（経度、緯度、高度等）の情報が含まれていることがある。
【００２７】
一例として、ＴＰ選択部１３は、対象画像の特徴情報としての撮影日時が３月〜４月の期間を示しており、対象画像の特徴情報としての撮影場所が日本を示しているとき、桜、花見、卒業式、入学式等といった、日本の春の風景や行事に対応したデザインのテンプレートを、記憶部１９に記憶されているテンプレートの中から複数抽出（選択）することができる。なお、記憶されているテンプレートの側にも、それぞれのテンプレートのデザインの特徴や配置領域数を示す特徴情報（テンプレート特徴情報）が付随している。そのため、ＴＰ選択部１３は、テンプレート毎のテンプレート特徴情報を参照して、対象画像の数および特徴情報から見て相応しいテンプレートを自動的に選択する。
【００２８】
また、一例として、ＴＰ選択部１３は、対象画像の特徴情報としての撮影場所が観光地（例えば、フランス）を示しているとき、当該観光地における代表的な風景や建造物を模したデザインのテンプレートを、記憶部１９に記憶されているテンプレートの中から複数選択することができる。
【００２９】
また、一例として、ＴＰ選択部１３は、対象画像の特徴情報としての撮影日時から、夜に撮影された画像であることが判別できるとき、夜景画像を配置するものとして好適な所定のデザインのテンプレートを、記憶部１９に記憶されているテンプレートの中から複数選択することができる。いずれにしても本実施形態は、ＴＰ選択部１３が、対象画像の撮影日時および撮影場所の少なくとも一方を含む特徴情報に基づいて、記憶されている複数のテンプレートから第１のテンプレートおよび第２のテンプレートを選択する構成を、開示内容の１つとしていると言える。
【００３０】
対象画像の特徴情報は、撮影日時や撮影場所に限定されない。ＴＰ選択部１３は、例えば、対象画像のＥＸＩＦ情報から撮影時のモード（夜景撮影モード、室内撮影モード等）を抽出して、これらのモードに応じて適切なテンプレートを、記憶部１９に記憶されているテンプレートの中から複数選択することができる。また、ＴＰ選択部１３は、例えば対象画像を解析することにより、いわゆる人物（顔）認識を実行し、顔認識の結果（顔の検出の成功／不成功）を対象画像の特徴情報とすることができる。例えば、ＴＰ選択部１３は、対象画像に対する顔認識の結果、顔を検出できたとき、人物写真を配置するものとして好適な所定のデザインのテンプレートを、記憶部１９に記憶されているテンプレートの中から複数選択することができる。
【００３１】
なお、対象画像それぞれの特徴情報が統一されているとは限らない。例えば、ステップＳ１００で選択された対象画像４１ａ，４１ｂ，４１ｃ，４１ｄそれぞれの撮影日や撮影場所にばらつきがあることも有り得る。また、対象画像４１ａ，４１ｂ，４１ｃ，４１ｄのうち一部の画像からは顔を検出できたが、他の一部の画像からは顔を検出できないこともある。
【００３２】
このような実情を鑑みて、ＴＰ選択部１３は、対象画像の中から画像毎の特徴情報に基づいて１つ以上の主画像を特定し、当該主画像に基づいて複数のテンプレートから第１のテンプレートおよび第２のテンプレートを選択するとしてもよい。ＴＰ選択部１３は、主画像を次のように特定することができる。ＴＰ選択部１３は、対象画像に対する顔認識を実行し、顔の検出に成功した対象画像を主画像とする。ただし、対象画像のうち複数の対象画像から顔を検出できた場合には、ＴＰ選択部１３は、顔の大きさ、顔の向き、顔の表情等に関する判定（いわゆる笑顔判定等）を実行し、顔を検出できた対象画像のうち、所定の基準に基づき写りがより優れている顔を含んでいる対象画像を主画像に特定するとしてもよい。
【００３３】
また、ＴＰ選択部１３は、対象画像に対する顔認識の結果、いずれの対象画像からも顔を検出できなかった場合は、対象画像を、撮影日時や撮影場所等の特徴情報が類似するグループ（特徴類似グループ）に分ける。そして、このような特徴類似グループに分けた後の画像数が最も多いグループの対象画像を、主画像に特定する。例えば、対象画像４１ａ，４１ｂ，４１ｃ，４１ｄのうち、対象画像４１ａ，４１ｂ，４１ｃは、３月〜４月（春）の期間に撮影された画像であり、対象画像４１ｄが８月（夏）の期間に撮影された画像であれば、第１の特徴類似グループ（対象画像４１ａ，４１ｂ，４１ｃ）と、第２の特徴類似グループ（対象画像４１ｄ）とのうち、第１の特徴類似グループ（対象画像４１ａ，４１ｂ，４１ｃ）を主画像に特定する。ＴＰ選択部１３は、このように対象画像の中から主画像を特定したら、主画像の特徴情報に基づいて、上述のように記憶部１９に記憶されているテンプレートの中から複数のテンプレートを選択する。
【００３４】
このようなステップＳ１１０において、ＴＰ選択部１３が対象画像に基づいて記憶部１９に記憶されている複数のテンプレートの中から２つ以上のテンプレートを選択する処理には、対象画像に基づいて、記憶部１９に記憶されている複数の素材からテンプレートを生成する処理も含まれる。ここで言う素材とは、配置領域のみを有するテンプレートに加え、季節、風景、行事等に関連した模様、イラスト、キャラクター、スタンプ、メッセージ等を指す。つまり、ＴＰ選択部１３は、対象画像（または主画像）の特徴情報に基づいて、撮影時期や撮影場所等に対応する模様、イラスト、キャラクター、スタンプ、メッセージ等の素材を、様々なテンプレート（配置領域のみを有するテンプレート）にレイアウトすることにより、デザインを施した複数のテンプレートを動的に生成し、それら生成した複数のテンプレートを、記憶部１９から選択した複数のテンプレートとして扱うとしてもよい。
【００３５】
ステップＳ１２０では、制御部１１（配置部１４）は、ステップＳ１１０で選択されたテンプレートそれぞれの各配置領域に各対象画像を配置することにより、対象画像の配置後のテンプレート（合成後テンプレート）を複数生成する（配置工程）。ステップＳ１２０の処理は、第１のテンプレートの配置領域に対象画像を配置し、かつ、第２のテンプレートの配置領域に対象画像を配置する処理を含んでいると言える。ステップＳ１２０におけるテンプレートの配置領域への対象画像の配置処理では、配置部１４は、配置領域の内側に対象画像ができるだけ収まるように対象画像を適宜拡大縮小等して配置すればよく、配置領域と対象画像との相対的な位置関係や大きさの比率について厳密な決まりは無くて良い。これは、後述のステップＳ１４０（編集処理）で、ユーザーが任意に細かな調整を実行可能だからである。
【００３６】
また、ステップＳ１２０では、配置部１４は、対象画像とテンプレート内の配置領域との対応関係を単純に決定することができる。例えば、テンプレートにおいては、テンプレート内の配置領域に予め番号が割り振られているとする。そして、配置部１４は複数の対象画像をテンプレート内の複数の配置領域へ配置する際、対象画像を、例えば、撮影日時が古い順に、番号１，２，３…の配置領域へ順に対応付けて配置すればよい。ただし、配置部１４は、テンプレート内の配置領域に大きさの差が在る場合等には、対象画像の特徴に応じてテンプレート内の配置領域との対応関係を決定してもよい。例えば、配置部１４は、テンプレートが有する複数の配置領域のうち最も面積が大きい配置領域に上述したような主画像（主画像のうちのいずれか１つ）を対応付けて配置することができる。
【００３７】
ステップＳ１３０では、制御部１１（表示制御部１５）は、ステップＳ１２０で生成された複数の合成後テンプレートを表示部１７に表示させる（表示制御工程）。ステップＳ１３０の処理は、対象画像の配置後の第１のテンプレートおよび対象画像の配置後の第２のテンプレートを表示部１７に表示させる処理を含んでいる。
【００３８】
図４は、表示制御部１５が表示部１７に表示させる合成後テンプレート選択画面５０の一例を示している。つまり、ユーザーから見れば、画像選択画面４０（図３）で１つ以上の画像を選択した状態でボタン４２を操作するだけで、表示部１７における表示内容が、画像選択画面４０から合成後テンプレート選択画面５０へ遷移する。合成後テンプレート選択画面５０には、ステップＳ１２０で生成された複数の合成後テンプレート５３，５５，５７，５９…が示されている。合成後テンプレート５３は、ステップＳ１１０で選択されたテンプレート５２に対象画像４１ａ，４１ｂ，４１ｃ，４１ｄが配置された結果の画像である。具体的には、テンプレート５２は、４つの配置領域５２ａ，５２ｂ，５２ｃ，５２ｄを有しており、配置領域５２ａ，５２ｂ，５２ｃ，５２ｄの各々に対象画像４１ａ，４１ｂ，４１ｃ，４１ｄが配置されている。
【００３９】
合成後テンプレート５５は、ステップＳ１１０で選択されたテンプレート５４に対象画像４１ａ，４１ｂ，４１ｃ，４１ｄが配置された結果の画像である。テンプレート５４は、４つの配置領域５４ａ，５４ｂ，５４ｃ，５４ｄを有しており、配置領域５４ａ，５４ｂ，５４ｃ，５４ｄの各々に対象画像４１ａ，４１ｂ，４１ｃ，４１ｄが配置されている。合成後テンプレート５７は、ステップＳ１１０で選択されたテンプレート５６に対象画像４１ａ，４１ｂ，４１ｃ，４１ｄが配置された結果の画像である。テンプレート５６は、４つの配置領域５６ａ，５６ｂ，５６ｃ，５６ｄを有しており、配置領域５６ａ，５６ｂ，５６ｃ，５６ｄの各々に対象画像４１ａ，４１ｂ，４１ｃ，４１ｄが配置されている。合成後テンプレート５９は、ステップＳ１１０で選択されたテンプレート５８に対象画像４１ａ，４１ｂ，４１ｃ，４１ｄが配置された結果の画像である。テンプレート５８は、４つの配置領域５８ａ，５８ｂ，５８ｃ，５８ｄを有しており、配置領域５８ａ，５８ｂ，５８ｃ，５８ｄの各々に対象画像４１ａ，４１ｂ，４１ｃ，４１ｄが配置されている。
【００４０】
図４では紙面の都合上、合成後テンプレートを４種類のみ示しているが、合成後テンプレート選択画面５０には、当該画面５０をスクロールする等して、これらよりも多くの合成後テンプレートが表示され得る。また図４では、テンプレート５２，５４，５６，５８に施されている模様、イラスト、キャラクター、スタンプ、メッセージ等のデザインの殆どの記載を省略しているが、実際の合成後テンプレート選択画面５０では、これらテンプレート５２，５４，５６，５８毎のデザインも対象画像４１ａ，４１ｂ，４１ｃ，４１ｄとともに表示されている。
【００４１】
図４の例から解るように、ステップＳ１３０では、異なるテンプレート５２，５４，５６，５８のそれぞれに共通して対象画像４１ａ，４１ｂ，４１ｃ，４１ｄが配置された複数の合成後テンプレート５３，５５，５７，５９が表示部１７に表示される。また、図４に示す合成後テンプレート５３，５５，５７は、横長や縦長のテンプレート５２，５４，５６に対象画像を配置したものであり、はがき等の矩形の印刷媒体へ印刷される画像を示している。一方、合成後テンプレート５９は、中央に穴が開いた円形のテンプレート５８に対象画像を配置したものであり、ＣＤやＤＶＤ等のディスクのレーベル面（印刷媒体の一種）へ印刷される画像を示している。つまり、ステップＳ１１０では様々な印刷媒体の形状に対応した複数のテンプレートが対象画像に応じて選択され、ステップＳ１２０，Ｓ１３０では、それら様々なテンプレートへ共通の対象画像を配置した複数の合成後テンプレートが生成され、表示される。
【００４２】
ステップＳ１３０で複数の合成後テンプレートが表示部１７に表示された後、制御部１１は、合成後テンプレートの編集処理を実行する（ステップＳ１４０）。ただし、編集処理はユーザーによる操作に応じて実行する処理であるため、結果的に編集を行わないことも有り得る。ユーザーは、操作受付部１８を操作することにより、合成後テンプレート選択画面５０に表示された合成後テンプレートを１つ選択した状態で、合成後テンプレート選択画面５０に設けられた所定のボタン（編集ボタン）６０を操作することで、合成後テンプレート選択画面５０を、当該選択した合成後テンプレートについての編集画面７０へ遷移させることができる。
【００４３】
図５は、表示制御部１５が表示部１７に表示させる編集画面７０の一例を示している。図５は、合成後テンプレート選択画面５０における合成後テンプレート５７についての編集画面である。編集画面７０では、編集対象の合成後テンプレートが、合成後テンプレート選択画面５０に表示されていたときよりも拡大して表示される。制御部１１は、ユーザーによる任意の操作受付部１８の操作に従って、編集画面７０における合成後テンプレートに対する編集を行う（ステップＳ１４０）。ここで言う編集とは、例えば、合成後テンプレート５７の配置領域５６ａ，５６ｂ，５６ｃ，５６ｄに配置されている対象画像４１ａ，４１ｂ，４１ｃ，４１ｄの拡大縮小、トリミング、回転、配置換え（例えば、対象画像４１ａと対象画像４１ｂとの位置を入れ替える等の配置換え）等である。また、合成後テンプレート５７に現在配置されている対象画像を別の画像に変更したり、素材（テンプレート５６にデザインされている模様、イラスト、キャラクター、スタンプ、メッセージ等）の追加、削除、移動等も編集の一種である。
【００４４】
編集画面７０には、印刷を実行させるプリンター（印刷部３０）や、印刷媒体サイズ（用紙サイズ）や、印刷媒体種類（用紙種類）や、印刷品質や、プログラムＡによる自動画質補正を有効化するか否かの選択や、印刷部数等の各種設定を受け付けるための印刷設定欄７１，７２，７３，７４，７５，７６が設けられている。ユーザーは、操作受付部１８を介して印刷設定欄７１，７２，７３，７４，７５，７６を任意に操作することにより印刷設定を好みの設定にすることができる。
【００４５】
また、編集画面７０には、印刷ボタン７７が設けられている。ユーザーは、操作受付部１８を介して印刷ボタン７７を操作することにより、現在の編集画面７０に表示されている合成後テンプレートを印刷させる。つまり、制御部１１（印刷制御部１６）は、印刷ボタン７７の押下げを検知したことを契機として、現在の編集画面７０に表示されている合成後テンプレート（編集が実行されている場合には、最新の編集を反映した状態の合成後テンプレート）を、印刷部３０（印刷設定欄７１で設定されているプリンター）へ送信することにより、印刷部３０に当該合成後テンプレートを印刷させる（ステップＳ１５０）。
【００４６】
ステップＳ１５０の印刷処理では、印刷制御部１６は、印刷部３０に送信する合成後テンプレートとしての画像データについて、印刷部３０が解釈可能な公知のフォーマットのデータ（印刷データ）に変換し、当該変換後の印刷データを、各種コマンド（印刷設定欄７１，７２，７３，７４，７５，７６で設定されている印刷設定を示すコマンド等）とともに印刷部３０へ送信する。これにより、印刷部３０側では、印刷データおよびコマンドに基づいて合成後テンプレートを印刷媒体へ印刷する。このような印刷制御部１６は、表示部１７に表示された合成後テンプレート（合成後テンプレート選択画面５０に示された複数の合成後テンプレート）の中からユーザーに選択された合成後テンプレートを印刷部３０へ送信して印刷部３０に印刷させる、と言える。
【００４７】
このように本実施形態によれば、表示装置１０の制御部１１は、ユーザーにより任意に選択された対象画像に基づいて、記憶されている複数のテンプレートから、対象画像を配置するためのテンプレートを複数選択する（ステップＳ１１０）。そして、選択した複数のテンプレート（第１のテンプレート、第２のテンプレートを少なくとも含む複数のテンプレート）のそれぞれに対象画像を配置し（ステップＳ１２０）、対象画像を配置した後の複数のテンプレート（合成後テンプレート）を表示部１７に表示させる（ステップＳ１３０）。これにより、ユーザーは、選択した対象画像（例えば、対象画像４１ａ，４１ｂ，４１ｃ，４１ｄ）が配置された、デザインが異なる複数の合成後テンプレート（図４参照）を一度に表示部１７において見比べることができ、対象画像を配置するものとして適切な（ユーザーが適切と思う）テンプレートを容易に選択することができる。従来は、選択した画像を配置するテンプレートを１つずつ切り替えてプレビュー表示させることで、最終的に好みのテンプレートを特定していたため、ユーザーの負担が大きかった。本実施形態によればこのような好みのテンプレートの選択に要するユーザーの負担を大幅に減らすことができる。
【００４８】
また本実施形態によれば、制御部１１は、対象画像の撮影日時や撮影場所、顔認識の結果といった種々の特徴情報に基づいて、対象画像を配置するに相応しい複数のテンプレートを、記憶されている複数のテンプレートの中から選択する（ステップＳ１１０）。これにより、表示部１７に表示される複数の合成後テンプレート（図４参照）は既に、対象画像の内容に合ったデザインとなっていると言え、ユーザーは、満足度の高い合成後テンプレートを容易に選択することができる。
【００４９】
また本実施形態によれば、制御部１１は、対象画像の中から特徴情報に基づいて主画像を特定し、この主画像に基づいて複数のテンプレートを、記憶されている複数のテンプレートの中から選択することが可能である（ステップＳ１１０）。これにより、対象画像の特徴が必ずしも統一されていない場合であっても、できるだけ対象画像に合った適切なテンプレートを制御部１１が選択するための解決策を提示する。
【００５０】
３．変形例：
本実施形態は上述した態様に限定されず、例えば以下に説明するような種々の変形例を含み得る。
【００５１】
変形例１：
図６は、変形例１にかかる処理をフローチャートにより示している。図６のフローチャートは、図２のステップＳ１１０〜Ｓ１３０についての変形例である。
図６によれば、ステップＳ１１０は、ステップＳ１１２，Ｓ１１４，Ｓ１１６，Ｓ１１８を含んでいる。先ず、ステップＳ１１２では、ＴＰ選択部１３は、ステップＳ１００で選択された対象画像の数が、テンプレートにおける配置領域の数の上限を超えているか否かを判定する。制御部１１においては、１つのテンプレートに含めることができる配置領域の数の上限が設定されている。言い換えると、記憶部１９には、上限を超える数の配置領域を有するテンプレートは記憶されていない。上限は、様々な値を取り得るが、例えば、１０であるとする。ＴＰ選択部１３は、対象画像の数が上限以下であれば（ステップＳ１１２において“Ｎｏ”）、ステップＳ１１４へ進み、一方、対象画像の数が上限を超えていれば（ステップＳ１１２において“Ｙｅｓ”）、ステップＳ１１６へ進む。
【００５２】
ステップＳ１１４では、ＴＰ選択部１３は、対象画像の数に対応する配置領域を有する複数のテンプレートを、記憶部１９に記憶されているテンプレートから選択する。むろんこの場合、ＴＰ選択部１３は、上述したように対象画像（または主画像）の特徴情報に基づいてテンプレートを選択する。図６から解るように、ステップＳ１１２で“Ｎｏ”と判定した後は、ステップＳ１１４（テンプレート選択工程），Ｓ１２２（配置工程），Ｓ１３２（表示制御工程）と処理が続く。ステップＳ１１４，Ｓ１２２，Ｓ１３２の流れは、上述の実施形態、つまり図２，４等を用いて説明済みのステップＳ１１０，Ｓ１２０，Ｓ１３０と実質的に同じであるため、これ以上の説明を省略する。
【００５３】
一方、ステップＳ１１２で“Ｙｅｓ”と判定した場合の処理（ステップＳ１１２，Ｓ１１６，Ｓ１１８，Ｓ１２４，Ｓ１３４）が当該変形例の主な内容である。
ステップＳ１１６では、ＴＰ選択部１３は、対象画像を、テンプレートにおける配置領域の数の上限以下の数の画像からなる複数の画像グループに分割する。このとき、ＴＰ選択部１３は、画像グループ毎の画像数をできるだけ均一にする。ここで言う画像グループは、上述した主画像を特定するための特徴類似グループとは無関係である。具体例として、ステップＳ１００で選択された対象画像の数が１２であり、上限が１０である場合、ＴＰ選択部１３は、１２個の対象画像を６個の対象画像からなる２つの画像グループ（第１画像グループ、第２画像グループ）に分割する。
【００５４】
ステップＳ１１８では、ＴＰ選択部１３は、画像グループ毎の対象画像の数に対応する配置領域を有する複数のテンプレートを、記憶部１９に記憶されているテンプレートから選択する（テンプレート選択工程）。具体例のように、ステップＳ１００で選択された対象画像の数が１２であり、ステップＳ１１６の分割による画像グループ毎の対象画像の数が６であれば、ＴＰ選択部１３は、６個の配置領域を有する複数のテンプレートを選択する。むろんこの場合も、ＴＰ選択部１３は、上述したように対象画像（または主画像）の特徴情報に基づいてテンプレートを選択する。なお、ステップＳ１１６の分割による画像グループ毎の対象画像の数が、例えば、第１画像グループは６、第２画像グループは５、のように均一でない場合は、ＴＰ選択部１３は、画像グループ毎の対象画像の数の最大値に対応する数の配置領域を有する複数のテンプレートを、記憶部１９に記憶されているテンプレートから選択する。
【００５５】
ステップＳ１２４では、配置部１４は、ステップＳ１１８で選択された各テンプレートについて複数のページを設定し、各テンプレートの各ページへ、各画像グループの対象画像を配置する（配置工程）。つまり、配置部１４は、ステップＳ１１８で選択された各テンプレートを複数ページに増加させる。
【００５６】
図７は、ステップＳ１２４，Ｓ１３４の処理を具体的に説明するための図である。図７に示すテンプレート８０は、ステップＳ１１８で選択された複数のテンプレートのうちの１つ（例えば、第１のテンプレート）である。また、図７を説明する前提として、ステップＳ１００で選択された対象画像の数は１２であり、ステップＳ１１６の分割による画像グループ毎の対象画像の数は６であり、その結果、ステップＳ１１８では、６個の配置領域を有する複数のテンプレート（例えば、テンプレート８０）が選択されたとする。また、ステップＳ１００で選択された１２個の対象画像を、対象画像４１ａ，４１ｂ，４１ｃ，４１ｄ，４１ｅ，４１ｆ，４１ｇ，４１ｈ，４１ｉ，４１ｊ，４１ｋ，４１ｌと呼び、ステップＳ１１６では、これら対象画像が、対象画像４１ａ，４１ｂ，４１ｃ，４１ｄ，４１ｅ，４１ｆによる第１画像グループと、対象画像４１ｇ，４１ｈ，４１ｉ，４１ｊ，４１ｋ，４１ｌによる第２画像グループとに分割されたと仮定する。
【００５７】
図７によれば、テンプレート８０は、６個の配置領域８０ａ，８０ｂ，８０ｃ，８０ｄ，８０ｅ，８０ｆを有している。配置部１４は、ステップＳ１２４では、このようなテンプレート８０を、ステップＳ１１６の分割により得られた画像グループ数と同じページ数に増加させる。ステップＳ１１６では、１２個の対象画像が６個の対象画像からなる２つの画像グループ（第１画像グループ、第２画像グループ）に分割されたため、配置部１４は、テンプレート８０を計２ページに増加させる（テンプレート８０のページ数を２ページに設定する）。テンプレートのページの増加とは、テンプレートの単なるコピーである。図７の上から２段目に示す１ページ目のテンプレート８０をコピーした結果が、当該２段目に示す２ページ目のテンプレート８０である。
【００５８】
さらに、配置部１４は、ステップＳ１２４において、テンプレート８０の各ページ（１ページ目、２ページ目）に、前記分割で得られた画像グループ毎の対象画像を配置する。図７の例によれば、配置部１４は、１ページ目のテンプレート８０の配置領域８０ａ，８０ｂ，８０ｃ，８０ｄ，８０ｅ，８０ｆに第１画像グループの対象画像４１ａ，４１ｂ，４１ｃ，４１ｄ，４１ｅ，４１ｆを配置し、かつ、２ページ目のテンプレート８０の配置領域８０ａ，８０ｂ，８０ｃ，８０ｄ，８０ｅ，８０ｆに第２画像グループの対象画像４１ｇ，４１ｈ，４１ｉ，４１ｊ，４１ｋ，４１ｌを配置させている。このような１ページ目のテンプレート８０に第１画像グループの対象画像４１ａ，４１ｂ，４１ｃ，４１ｄ，４１ｅ，４１ｆを配置した結果の画像を合成後テンプレート８１と呼び、２ページ目のテンプレート８０に第２画像グループの対象画像４１ｇ，４１ｈ，４１ｉ，４１ｊ，４１ｋ，４１ｌを配置した結果の画像を合成後テンプレート８２と呼ぶことにする。
【００５９】
ステップＳ１３４（図６）では、表示制御部１５は、対象画像の配置後の各ページのテンプレート、つまり同じテンプレートを用いた複数ページの合成後テンプレートを、互いに一部重畳させた状態で表示部１７に表示させる（表示制御工程）。図７の例によれば、表示制御部１５は、同じテンプレート８０を用いた１ページ目の合成後テンプレート８１および２ページ目の合成後テンプレート８２を一部重ねて１まとまりの合成後テンプレート群とし、これを表示部１７に表示させる。図７では、ステップＳ１１８で選択された複数のテンプレートのうちの１つのテンプレート８０についての処理のみ示しているが、言うまでもなく、ステップＳ１１８で選択されたテンプレートの夫々について、図７に示した処理が同様に実行される。従って、ステップＳ１３４では、表示部１７の合成後テンプレート選択画面５０には、図７の最下段に例示するような１まとまりの合成後テンプレート群が、ステップＳ１１８で選択された各テンプレートの夫々に応じて（同じ画面５０内に並んで）表示される。
【００６０】
このようなステップＳ１２４，Ｓ１３４によれば、配置部１４は、対象画像に基づいて選択された各テンプレートについて複数のページを設定し、対象画像を、前記選択されたテンプレート毎に前記複数のページに振り分けて配置し、表示制御部１５は、画像の配置後の複数ページ（例えば、合成後テンプレート８１，８２）のそれぞれを一部重畳させた状態で前記選択された各テンプレートを表示部１７に表示させる、と言える。
【００６１】
また、表示制御部１５は、ユーザーの操作に応じて、１まとまりの合成後テンプレート群における表示ページ（最前面のページ）を切り替える。例えば、図７の最下段に示すように、１まとまりの合成後テンプレート群において、これを構成する合成後テンプレート８１，８２のうち、合成後テンプレート８１が最前面として表示されている。この場合に、ユーザーが操作受付部１８を操作して合成後テンプレート選択画面５０内で当該最前面（合成後テンプレート８１）以外のページ（合成後テンプレート８２）の縁をクリック等したとき、表示制御部１５は、当該クリックされたページ（合成後テンプレート８２）を、当該１まとまりの合成後テンプレート群の最前面に表示させる。これにより、ユーザーは、一部重畳されている各合成後テンプレートを容易に見ることができる。
【００６２】
このような変形例１によれば、ユーザーが任意に選択した対象画像の数が、テンプレート内の配置領域数の上限を超えるほど多い場合、制御部１１は、対象画像に基づいて選択した各テンプレートをコピーして夫々に複数ページに増加させる。そして、テンプレート毎に、複数ページに対象画像を振り分けて配置し、当該配置後の複数ページ（合成後テンプレート）を、テンプレートが同じもの同士で互いに一部重畳して表示部１７に表示する。そのため、ユーザーは、全ての対象画像について共通のテンプレート（例えば、テンプレート８０）に配置された様子を確認でき、かつ、共通の対象画像（例えば、対象画像４１ａ，４１ｂ，４１ｃ，４１ｄ，４１ｅ，４１ｆ，４１ｇ，４１ｈ，４１ｉ，４１ｊ，４１ｋ，４１ｌ）を配置した異なるテンプレート同士を比較することもできる。これにより、ユーザーは、ステップＳ１３４（ステップＳ１３０）より後の任意の編集処理や印刷処理を快適かつ容易に実行することができる。なお、仮に図７の最下段に例示する１まとまりの合成後テンプレート群が合成後テンプレート選択画面５０内で選択されて編集ボタン６０が押下げされ、編集画面７０において印刷ボタン７７の押下げにより印刷処理の対象となった場合には、合成後テンプレート８１および合成後テンプレート８２のそれぞれが印刷部３０により印刷媒体へ印刷される。
【００６３】
変形例２：
表示制御部１５は、ステップＳ１３０（図２，６）において、表示部１７に表示させた合成後テンプレートの中からユーザーに選択されたテンプレートを、他のテンプレートより大きいサイズで表示部１７に表示させるとしてもよい。
【００６４】
図８は、表示制御部１５が表示部１７に表示させる合成後テンプレート選択画面５０の他の例を示している。図４に示す合成後テンプレート選択画面５０において、ユーザーが、操作受付部１８を操作することにより一部の合成後テンプレート（例えば、合成後テンプレート５３，５５）を選択したとする。ここで言う選択とは、編集ボタン６０の押下げを伴わない選択であり、所定の操作（例えば、合成後テンプレート選択画面５０上のカーソルのドラッグ操作）による選択である。表示制御部１５は、当該選択に応じて、合成後テンプレート選択画面５０（図４）を、図８に示す合成後テンプレート選択画面５０へ遷移させる。図８の合成後テンプレート選択画面５０においては、ユーザーにより選択された一部の合成後テンプレート（合成後テンプレート５３，５５）が拡大表示されている。このような変形例２によれば、表示部１７に表示された合成後テンプレートのうちユーザーが選択したテンプレート（例えば、合成後テンプレート５３，５５）を、他のテンプレート（表示部１７に表示された合成後テンプレートのうちユーザーが選択していないテンプレート（例えば、合成後テンプレート５７，５９）よりも大きく表示して、より見易い状態でユーザーに提示することができる。
【符号の説明】
【００６５】
１０…表示装置、１１…制御部、１２…画像選択部、１３…ＴＰ選択部、１４…配置部、１５…表示制御部、１６…印刷制御部、１７…表示部、１８…操作受付部、１９…記憶部、２０…通信ＩＦ、３０…印刷部、４０…画像選択画面、４１，４１ａ，４１ｂ，４１ｃ，４１ｄ，４１ｅ，４１ｆ，４１ｇ，４１ｈ，４１ｉ，４１ｊ，４１ｋ，４１ｌ…対象画像、５０…合成後テンプレート選択画面、５２，５４，５６，５８，８０…テンプレート、５３，５５，５７，５９，８１，８２…合成後テンプレート、５２ａ，５２ｂ，５２ｃ，５２ｄ，５４ａ，５４ｂ，５４ｃ，５４ｄ，５６ａ，５６ｂ，５６ｃ，５６ｄ，５８ａ，５８ｂ，５８ｃ，５８ｄ，８０ａ，８０ｂ，８０ｃ，８０ｄ，８０ｅ，８０ｆ…配置領域、７０…編集画面、Ａ…プログラム
【図１】
2019074872.tif 000003
【図２】
2019074872.tif 000004
【図３】
2019074872.tif 000005
【図４】
2019074872.tif 000006
【図５】
2019074872.tif 000007
【図６】
2019074872.tif 000008
【図７】
2019074872.tif 000009
【図８】
2019074872.tif 000010